(57)【特許請求の範囲】
【請求項１】
警報事象を監視し、該警報事象の発生を警報事象検出用センサで検出して警報音を報知する警報器であって、
２個の端子からなり、前記２個の端子間に警報事象の監視時にしきい値を超える検出電圧が現れかつ警報事象の検出時に前記しきい値以下の検出電圧が現れる外部出力端子と、
前記外部出力端子に現れる前記検出電圧を検出する検出手段と、
前記警報事象検出用センサの検出信号および前記検出手段で検出された前記検出電圧を判別する判別手段と、
前記警報事象の検出を報知する前記第１の警報音信号を生成する第１の警報音生成手段と、
前記外部出力端子に他の警報器が接続された場合に前記他の警報器における警報事象の検出を報知する第２の警報音信号を生成する第２の警報音生成手段と、
防犯センサの作動を報知する第３の警報音信号を生成する第３の警報音生成手段と、
前記判別手段の判別結果に応じて、前記第１、第２または第３の警報音信号を選択する警報音選択手段と、
前記警報音選択手段で選択された前記第１、第２または第３の警報音信号を音声出力する音声出力手段と、
電源投入時に前記判別手段で、前記外部出力端子に前記しきい値を超える検出電圧が現れていると判別された場合は前記警報音選択手段が前記第２の警報音信号を選択し、前記外部出力端子に前記しきい値以下の検出電圧が現れていると判別された場合は前記警報音選択手段が前記第３の警報音信号を選択するように初期設定する自動設定手段とを備え、
その後の通常監視時に前記判別手段で、前記警報事象検出用センサの検出信号ありと判別された場合は、前記音声出力手段から前記第１の警報音信号を出力し、前記外部出力端子に前記しきい値以下の検出電圧が現れていると判別された場合は、前記自動設定手段で初期設定された前記第２または第３の警報音信号を出力することを特徴とする警報器。
【請求項２】
前記自動設定手段により前記第３の警報音信号が初期設定されている請求項１記載の警報器と、
前記警報器の前記外部出力端子に接続され、作動時に前記外部出力端子の２個の端子間を短絡する少なくとも１個の防犯センサとを備えていることを特徴とする警報システム。
【請求項３】
前記自動設定手段により前記第３の警報音信号が初期設定されると共に前記外部出力端子が互いに接続された複数個の請求項１記載の警報器と、
複数個の警報器の各々の前記外部出力端子に接続され、作動時に前記外部出力端子の２個の端子間を短絡する前記少なくとも１個の防犯センサとを備えていることを特徴とする警報システム。
【請求項４】
請求項２または３記載の警報システムにおいて、
前記少なくとも１個の防犯センサの前記外部出力端子への接続、不接続を切り替える在宅スイッチをさらに備えていることを特徴とする警報システム。
【請求項５】
請求項４記載の警報システムにおいて、
前記在宅スイッチは、前記警報器に予め備え付けられている引き紐スイッチまたは押ボタンスイッチを利用することを特徴とする警報システム。
【発明の詳細な説明】
【技術分野】
【０００１】
本発明は、警報器および警報システムに関し、特に、防犯警報器以外の警報器に防犯警報機能を付加した警報器および該警報器を使用する警報システムに関する。
【背景技術】
【０００２】
従来の防犯警報器には、たとえば窓にセンサ（マグネットスイッチ、振動センサ等）を取り付け、窓の開閉、振動等を検知し、送信機等を経由してホームコントローラに情報が上がり、ブザーが鳴ったり警備会社へ自動通報が行われたりするタイプのものがある。
【０００３】
また、防犯センサにアラームが内蔵されていて、窓の開閉、振動等により警報音が発せられるタイプのものもある。
【０００４】
また、防犯警報器以外の警報器として、火災警報器同士を有線連動し、別の部屋での火災警報を検知できる連動回路を備えた警報器もある。
【０００５】
図１１は、このような連動タイプの火災警報器を用いた警報システムを示す概略構成図である。ある家宅におけるＡ室およびＢ室に相互連動出力タイプの火災警報器１がそれぞれ配置され、それぞれの外部出力端子が連動線路３で接続されている。Ａ室の火災時は、Ａ室の火災警報器１が火災を検出して自らが火災警報音を報知すると共に、その外部出力端子からＡ室の火災を示す検出電圧を連動線路３に供給し、連動先のＢ室の火災警報器は、その検出電圧により、Ａ室で火災が起きたことを表す火災連動警報音を報知する。逆に、Ｂ室の火災時は、Ｂ室の火災警報器１は自らが火災警報音を発すると共に、その外部出力端子からＢ室の火災を示す検出電圧を連動線路３に供給し、連動先のＡ室の火災警報器は、その検出電圧により、Ｂ室で火災が起きたことを表す火災連動警報音を発する。
【０００６】
図１２は、上述の連動タイプの警報システムの具体的構成例を示す回路図である。同図において、火災警報器１は、処理部１１と、電源＋Ｖｃおよび抵抗１２ａを含む電圧供給部１２と、連動検出部１３と、火災センサ１４と、ダイオード１５ａおよびトランジスタ１５ｂを含む出力部１５と、外部出力端子１６ａおよび１６ｂと、アンプ２４ａおよびスピーカ２４ｂを含む音声出力部２４とを備えている。処理部１１には、連動検出部１３、火災センサ１４、出力部１５および音声出力部２５が接続されている。
【０００７】
火災がない場合、出力部１５ｂのトランジスタ１５ｂはオフになっており、外部出力端子１６ａおよび１６ｂ間には、電源＋Ｖｃ、抵抗１２ａおよびダイオード１５ａを介してしきい値を超える検出電圧が現れている。Ａ室の火災警報器１の火災センサ１４が火災を検出すると、処理部１１は、火災警報音信号を音声出力部２５に出力し、アンプ２５ａを介してスピーカ２５ｂから火災警報音を発する。それと同時に、処理部１１は、出力部１５のトランジスタ１５ｂにハイレベルの制御信号を出力し、トランジスタ１５ｂをオンになるように制御する。それにより、外部出力端子１６ａおよび１６ｂ間が短絡され、検出電圧はしきい値以下の電圧、すなわち０Ｖになる。このしきい値以下の検出電圧をＢ室の火災警報器１の連動出力部１３が検出すると、Ｂ室の火災警報器１の処理部１１は、火災連動警報音信号を音声出力部２５に出力し、アンプ２５ａを介してスピーカ２５ｂから火災連動警報音を発する。
【０００８】
このように、連動タイプのものでは、複数の火災警報器の外部出力端子同士を接続することにより、自らが監視している場所の火災を検出した場合に火災警報音を報知すると共に、別の場所で火災が検出されたことを火災連動警報音によって報知することができる。
【発明の開示】
【発明が解決しようとする課題】
【０００９】
しかしながら、上述の防犯警報器においては、前者のタイプは、設備が高価になるという難点があり、後者のタイプは、センサに対してアラームがセットになっており、前者のタイプほどではないが、窓の数だけ取り付けるとなると、結局高価なものになるという問題がある。また、上述の火災警報システムは、防犯警報機能を有していない。
【００１０】
そこで本発明は、上述した課題に鑑み、防犯警報器以外の警報器を利用して防犯警報機能を低コストで付加できる警報器および警報システムを提供することを目的としている。
【課題を解決するための手段】
【００１１】
前記課題を解決するためになされた請求項１記載の発明は、警報事象を監視し、該警報事象の発生を警報事象検出用センサで検出して警報音を報知する警報器であって、２個の端子からなり、前記２個の端子間に警報事象の監視時にしきい値を超える検出電圧が現れかつ警報事象の検出時に前記しきい値以下の検出電圧が現れる外部出力端子と、前記外部出力端子に現れる前記検出電圧を検出する検出手段と、前記警報事象検出用センサの検出信号および前記検出手段で検出された前記検出電圧を判別する判別手段と、前記警報事象の検出を報知する前記第１の警報音信号を生成する第１の警報音生成手段と、前記外部出力端子に他の警報器が接続された場合に前記他の警報器における警報事象の検出を報知する第２の警報音信号を生成する第２の警報音生成手段と、防犯センサの作動を報知する第３の警報音信号を生成する第３の警報音生成手段と、前記判別手段の判別結果に応じて、前記第１、第２または第３の警報音信号を選択する警報音選択手段と、前記警報音選択手段で選択された前記第１、第２または第３の警報音信号を音声出力する音声出力手段と、電源投入時に前記判別手段で、前記外部出力端子に前記しきい値を超える検出電圧が現れていると判別された場合は前記警報音選択手段が前記第２の警報音信号を選択し、前記外部出力端子に前記しきい値以下の検出電圧が現れていると判別された場合は前記警報音選択手段が前記第３の警報音信号を選択するように初期設定する自動設定手段とを備え、その後の通常監視時に前記判別手段で、前記警報事象検出用センサの検出信号ありと判別された場合は、前記音声出力手段から前記第１の警報音信号を出力し、前記外部出力端子に前記しきい値以下の検出電圧が現れていると判別された場合は、前記自動設定手段で初期設定された前記第２または第３の警報音信号を出力することを特徴とする。
【００１２】
請求項１記載の発明においては、警報事象を監視し、該警報事象の発生を警報事象検出用センサで検出して警報音を報知する警報器は、外部出力端子と、検出手段と、判別手段と、第１の警報音生成手段と、第２の警報音生成手段と、第３の警報音生成手段と、警報音選択手段と、音声出力手段と、自動設定手段とを備えている。外部出力端子は、２個の端子からなり、２個の端子間に警報事象の監視時にしきい値を超える検出電圧が現れかつ警報事象の検出時にしきい値以下の検出電圧が現れる。検出手段は、外部出力端子に現れる検出電圧を検出する。判別手段は、警報事象検出用センサの検出信号および検出手段で検出された検出電圧を判別する。第１の警報音生成手段は、警報事象の検出を報知する第１の警報音信号を生成する。第２の警報音生成手段は、外部出力端子に他の警報器が接続された場合に他の警報器における警報事象の検出を報知する第２の警報音信号を生成する。第３の警報音生成手段は、防犯センサの作動を報知する第３の警報音信号を生成する。警報音選択手段は、判別手段の判別結果に応じて、第１、第２または第３の警報音信号を選択する。音声出力手段は、警報音選択手段で選択された第１、第２または第３の警報音信号を音声出力する。自動設定手段は、電源投入時に判別手段で、外部出力端子にしきい値を超える検出電圧が現れていると判別された場合は警報音選択手段が第２の警報音信号を選択し、外部出力端子にしきい値以下の検出電圧が現れていると判別された場合は警報音選択手段が第３の警報音信号を選択するように初期設定する。警報器は、その後の通常監視時に判別手段で、警報事象検出用センサの検出信号ありと判別された場合は、音声出力手段から第１の警報音信号を出力し、外部出力端子にしきい値以下の検出電圧が現れていると判別された場合は、自動設定手段で初期設定された第２または第３の警報音信号を出力する。それにより、警報器自体の警報機能に防犯警報機能を付加した警報器を実現することができる。
【００１３】
前記課題を解決するためになされた請求項２記載の発明の警報システムは、前記自動設定手段により前記第３の警報音信号が初期設定されている請求項１記載の警報器と、前記警報器の前記外部出力端子に接続され、作動時に前記外部出力端子の２個の端子間を短絡する少なくとも１個の防犯センサとを備えていることを特徴とする。
【００１４】
請求項２記載の発明においては、警報システムは、自動設定手段により第３の警報音信号が初期設定されている請求項１記載の警報器と、警報器の外部出力端子に接続され、作動時に外部出力端子の２個の端子間を短絡する少なくとも１個の防犯センサとを備えている。それにより、警報器自体の警報機能に防犯警報機能を付加した警報器の外部出力端子に防犯センサを接続して、警報器自体の警報と防犯センサの作動時の防犯警報とを報知する警報システムを実現することができる。
【００１５】
前記課題を解決するためになされた請求項３記載の発明の警報システムは、前記自動設定手段により前記第３の警報音信号が初期設定されると共に前記外部出力端子が互いに接続された複数個の請求項１記載の警報器と、複数個の警報器の各々の前記外部出力端子に接続され、作動時に前記外部出力端子の２個の端子間を短絡する少なくとも１個の防犯センサとを備えていることを特徴とする。
【００１６】
請求項３記載の発明においては、警報システムは、自動設定手段により第３の警報音信号が初期設定されると共に外部出力端子が互いに接続された複数個の請求項１記載の警報器と、複数個の警報器の各々の外部出力端子に接続され、作動時に外部出力端子の２個の端子間を短絡する少なくとも１個の防犯センサとを備えている。それにより、警報器自体の警報機能に防犯警報機能を付加した複数の警報器の各外部出力端子に防犯センサを接続して、警報器自体の警報と防犯センサの作動時の防犯警報とを報知する警報システムを実現することができる。
【００１７】
前記課題を解決するためになされた請求項４記載の発明は、請求項２または３記載の警報システムにおいて、前記少なくとも１個の防犯センサの前記外部出力端子への接続、不接続を切り替える在宅スイッチをさらに備えていることを特徴とする。
【００１８】
請求項４記載の発明においては、警報システムは、少なくとも１個の防犯センサの外部出力端子への接続、不接続を切り替える在宅スイッチをさらに備えている。それにより、外出時や就寝時等の必要時のみに防犯機能が付加されるようにすることができる。
【００１９】
前記課題を解決するためになされた請求項５記載の発明は、請求項４記載の警報システムにおいて、前記在宅スイッチは、前記警報器に予め備え付けられている引き紐スイッチまたは押ボタンスイッチを利用することを特徴とする。
【００２０】
請求項５記載の発明においては、在宅スイッチは、警報器に予め備え付けられている引き紐スイッチまたは押ボタンスイッチを利用する。それにより、低コストで防犯機能を付加できる。
【発明の効果】
【００２１】
請求項１記載の発明によれば、警報器自体の警報機能に防犯警報機能を付加した警報器を実現することができる。
【００２２】
請求項２記載の発明によれば、警報器自体の警報機能に防犯警報機能を付加した警報器の外部出力端子に防犯センサを接続して、警報器自体の警報と防犯センサの作動時の防犯警報とを報知する警報システムを実現することができる。そのため、警報器自体の警報機能を失わずに、警報器を防犯警報器として利用するので、防犯センサのみを窓等に取り付けるだけで良く、低コストで防犯機能を付加した警報システムを構築することができる。
【００２３】
請求項３記載の発明によれば、警報器自体の警報機能に防犯警報機能を付加した複数の警報器の外部出力端子同士を連動接続し、各外部出力端子に防犯センサを接続して、警報器自体の警報と防犯センサの作動時の防犯警報とを報知する警報システムを実現することができる。そのため、警報器自体の警報機能を失わずに、警報器を防犯警報器として利用するので、防犯センサのみを窓等に取り付けるだけで良く、低コストで防犯機能を付加した警報システムを構築することができる。
【００２４】
請求項４記載の発明によれば、在宅スイッチをオンにして外出時や就寝時等の必要時のみに防犯機能が付加されるようにすることができる。
【００２５】
請求項５記載の発明によれば、在宅スイッチは、警報器に予め備え付けられているスイッチを利用するので、低コストで防犯機能を付加した警報システムを構築できる。
【発明を実施するための最良の形態】
【００２６】
以下、本発明の実施の形態について図面を参照して説明する。
【００２７】
（警報器の第１の実施形態）まず、本発明の警報器の第１の実施形態について説明する。図１は、本発明の第１の実施形態に係る警報器の構成を示すブロック図である。ここでは、警報器として、火災という警報事象を監視し、火災発生（警報事象発生）を検出して警報音を報知する火災警報器の場合について説明する。火災警報器１は、電圧供給部１２、連動検出部１３、火災センサ１４、出力部１５、外部出力端子１６ａおよび１６ｂ、検出電圧判別部１７、自動設定部１８、火災警報音生成部１９、火災連動警報音生成部２０、防犯警報音生成部２１、警報音選択部２２、音声出力部２３、出力パターン生成部２４および音声出力部２５から構成されている。外部出力端子１６ａおよび１６ｂには、火災警報器１と同一構成の他の火災警報器または防犯センサが接続される。図１では、外部出力端子１６ａおよび１６ｂに防犯センサ４（および在宅スイッチ５）が接続された場合を示している。防犯センサ４は、たとえば、窓の開閉を検出してオン／オフする接点出力タイプのマグネットスイッチである。
【００２８】
連動検出部１３は、請求項における検出手段に相当し、火災センサ１４は、請求項における警報事象検出用センサに相当し、自動設定手段１８は、請求項における自動設定手段に相当し、火災警報音生成部１９は、請求項における第１の警報音生成手段に相当し、火災連動警報音生成部２０は、請求項における第２の警報音生成手段に相当し、防犯警報音生成部２１は、請求項における第３の警報音生成手段に相当し、警報音選択部２１は、請求項における警報音選択手段に相当し、音声出力部２５は、請求項における音声出力手段に相当する。
【００２９】
図２は、火災警報器１の具体的構成例を示す回路図である。図２において、火災警報器１は、電源＋Ｖｃおよび抵抗１２ａを含む電圧供給部１２と、火災センサ１４と、ダイオード１５ａおよびトランジスタ１５ｂを含む出力部１５と、外部出力端子１６ａおよび１６ｂと、アンプ２５ａおよびスピーカ２５ｂを含む音声出力部２５と、マイクロコンピュータ（以下、ＣＰＵという）３０とを備えている。
【００３０】
ＣＰＵ３０は、図１における連動検出部１３、検出電圧判別部１７、自動設定部１８、火災警報音生成部１９、火災警報音生成部１９、火災連動警報音生成部２０、防犯警報音生成部２１、警報音選択部２２、警報音出力部２３および出力パターン生成部２４を構成する。ＣＰＵ３０の入力ポートＰ１には火災センサ１４が接続され、入力ポートＰ２には、電圧供給部１２および出力部１５が接続され、出力ポートＰ３には出力部１５のトランジスタ１５ｂのベースが接続され、出力ポートＰ４には音声出力部２２のアンプ２２ａが接続されている。ＣＰＵ３０の入力ポートＰ２は、連動検出部１３の入力端子に相当し、出力ポートＰ３は、出力パターン生成部２４の出力端子に相当する。
【００３１】
電圧供給部１２は、＋Ｖｃ電源からの直流電圧を抵抗１２ａを介して予め設定されたしきい値以上の適切な電圧レベルの監視電圧Ｅとして、ＣＰＵ３０の入力ポートＰ２から連動検出部１３に供給する。ＣＰＵ３０は、火災センサ１４が火災を検出した時は、出力ポートＰ３からハイレベルの制御信号を出力し、トランジスタ１５ｂをオンになるように制御する。それにより、外部出力端子１６ａおよび１６ｂ間に、しきい値以下、すなわち０Ｖの検出電圧が現れ、ＣＰＵ３０の入力ポートＰ２に供給される。
【００３２】
図３は、外部出力端子１６ａおよび１６ｂ間に現れる検出電圧を示す図である。火災警報器１の電源オン後、時間ｔ１で監視電圧Ｅが立ち上がり、検出電圧として検出部１３から出力される。この監視電圧Ｅは、火災検出のしきい値を超えており、監視時（火災がない時）維持される。時間ｔ２で火災が発生したことが火災センサ１４で検出されると、検出電圧はしきい値以下の０Ｖに下がる。
【００３３】
次に、上述の構成を有する火災警報器１においてＣＰＵ３０の制御の下に行われる電源投入時の動作を図４のフローチャートを参照しながら説明する。まず、電源を投入すると（ステップＳ１）、火災警報器１は設定モードになり、外部出力端子１６ａおよび１６ｂ間に現れる検出電圧（外部出力）を連動検出部１３で監視する（ステップＳ２）。次に、連動検出部１３で検出した検出電圧が、しきい値以下になっているか否かを検出電圧判別部１７で判別する（ステップＳ３）。
【００３４】
検出電圧がしきい値以下になっていないと判別した場合（すなわち、検出電圧が監視電圧Ｅになっている場合）、次いで、自動設定部１８は、外部出力端子１６ａおよび１６ｂに火災警報器１と同タイプの他の火災警報器が接続されていると認識する（ステップＳ４）。次に、自動設定部１８は、この認識に基づき、火災連動警報音生成部２０からの火災連動警報音信号を選択するように警報音選択部２２を制御し（ステップＳ５）、次いでステップＳ８に進む。
【００３５】
一方、検出電圧がしきい値以下になっていると判別した場合（すなわち、検出電圧が０Ｖになっている場合）、次いで、自動設定部１８は、外部出力端子１６ａおよび１６ｂに防犯センサ４が接続されていると認識する（ステップＳ６）。次に、自動設定部１８は、この認識に基づき、防犯警報音生成部２１からの防犯警報音信号を選択するように警報音選択部２２を制御し（ステップＳ７）、次いでステップＳ８に進む。
【００３６】
ステップＳ８では、電源投入から所定時間（たとえば、数秒）経過したか否かを判定し、経過していなければステップＳ２に戻り、経過していればステップＳ９に進む。次に、設定モードを解除し（ステップＳ９）、次いで通常監視状態になる（ステップＳ１０）。
【００３７】
このように、火災警報器１は、電源投入から所定時間の間設定モードになるので、この設定モード中に外部出力端子１６ａおよび１６ｂに火災警報器が接続されているかそれとも防犯センサ４が接続されているかを確認して、接続されている連動機器に対応する警報音を初期設定することができる。なお、防犯センサ４を接続する場合は、電源投入前に予め防犯センサ４（および在宅スイッチ５）を作動状態にして外部出力端子１６ａおよび１６ｂ間を短絡しておき、その後電源投入をすることにより、防犯警報音が選択される。
【００３８】
次に、上述のように初期設定される火災警報器１の通常監視時の動作を図５および６のフローチャートを参照しながら説明する。
【００３９】
（連動先：火災警報器と初期設定された場合の通常監視動作）外部出力端子１６ａおよび１６ｂに火災警報器が接続されていると初期設定された場合は、上述の従来の火災警報システムと同じ動作になる。すなわち、図５に示すように、通常監視時、まず火災センサ１４からの検出信号の有無を常時または定期的に監視し（ステップＳ２１）、次に火災センサ１４からの検出信号があるか否かを検出電圧判別部１７で判別する（ステップＳ２２）。
【００４０】
火災センサ１４からの検出信号ありと判別された場合は、火災警報を鳴動させる（ステップＳ２３）。すなわち、検出電圧判別部１７は、火災警報音生成部１９を選択するように警報音選択部２２を制御し、警報音選択部２２を介して火災警報音生成部１９からの火災警報音信号を警報音出力部２３より、音声出力部２５に出力する。それにより、音声出力部のスピーカ２５ｂから火災警報音が音声出力される。この火災警報音は、たとえば、「火事です、火事です」等の音声メッセージである。
【００４１】
一方、火災センサの監視と共に、外部出力端子１６ａおよび１６ｂ間に現れる検出電圧を常時または定期的に監視し（ステップＳ２４）、次に検出電圧がしきい値以下になったか否かを検出電圧判別部１７で判別する（ステップＳ２５）。
【００４２】
検出電圧判別部１７で、検出電圧がしきい値以下になったと判別された場合は、火災連動警報を鳴動させる（ステップＳ２３）。すなわち、自動設定部１８で初期設定された火災連動警報音生成部２０からの火災連動警報音信号を警報音選択部２２および警報音出力部２３を介して音声出力部２５に出力する。それにより、音声出力部のスピーカ２５ｂから火災連動警報音が音声出力される。この火災連動警報音は、たとえば、「別の火災警報器が作動しました」等の音声メッセージである。
【００４３】
なお、検出電圧判別部１７は、火災センサ１４からの検出信号と、外部出力端子からのしきい値以下の検出電圧の両方が同時に発生している場合は、火災センサ１４からの検出信号を優先して判別する。したがって、火災センサ１４の監視による火災警報音は、外部出力監視による火災連動警報音に優先して報知される。
【００４４】
（連動先：防犯センサと初期設定された場合の通常監視動作）外部出力端子１６ａおよび１６ｂに防犯センサが接続されていると初期設定された場合は、図６に示す動作になる。すなわち、通常監視時、まず火災センサ１４からの検出信号の有無を常時または定期的に監視し（ステップＳ３１）、次に火災センサ１４からの検出信号があるか否かを検出電圧判別部１７で判別する（ステップＳ３２）。
【００４５】
火災センサ１４からの検出信号ありと判別された場合は、火災警報を鳴動させる（ステップＳ３３）。すなわち、検出電圧判別部１７は、火災警報音生成部１９を選択するように警報音選択部２２を制御し、警報音選択部２２を介して火災警報音生成部１９からの火災警報音信号を警報音出力部２３より、音声出力部２５に出力する。それにより、音声出力部のスピーカ２５ｂから火災警報音が音声出力される。この火災警報音は、たとえば、「火事です、火事です」等の音声メッセージである。
【００４６】
一方、火災センサの監視と共に、外部出力端子１６ａおよび１６ｂ間に現れる検出電圧を常時または定期的に監視し（ステップＳ３４）、次に検出電圧がしきい値以下になったか否かを検出電圧判別部１７で判別する（ステップＳ３５）。
【００４７】
検出電圧判別部１７で、検出電圧がしきい値以下になったと判別された場合は、防犯警報を鳴動させる（ステップＳ３６）。すなわち、自動設定部１８で初期設定された防犯報音生成部２１からの防犯警報音信号を警報音選択部２２および警報音出力部２３を介して音声出力部２５に出力する。それにより、音声出力部のスピーカ２５ｂから防犯警報音が音声出力される。この防犯連動警報音は、たとえば、「ドロボー、ドロボー」等の音声メッセージである。
【００４８】
なお、検出電圧判別部１７は、火災センサ１４からの検出信号と、外部出力端子からのしきい値以下の検出電圧の両方が同時に発生している場合は、火災センサ１４からの検出信号を優先して判別する。したがって、火災センサ１４監視による火災警報音は、外部出力監視による防犯警報音に優先して報知される。
【００４９】
以上説明したように、本発明の第１の実施形態の警報器によれば、警報器自体の警報機能に防犯警報機能を付加した警報器を実現することができる。
【００５０】
（警報システムの第１の実施形態）次に、上述のように連動先：防犯センサと初期設定された火災警報器１を用いた本発明の警報システムの第１の実施形態について説明する。
【００５１】
図７は、本発明の第１の実施形態に係る警報システムを示す概略構成図である。ある家宅におけるＡ室に、連動先：防犯センサと初期設定された火災警報器１が配置されている。また、火災警報器１には、部屋の窓Ｗ１およびＷ２にそれぞれ取り付けられた２個の防犯センサ４からのセンサ出力が在宅スイッチ５を介して外部出力端子に接続されている。在宅スイッチ５のオン時に、防犯センサ４のマグネットスイッチがオンすると、外部出力端子１６ａおよび１６ｂ間が短絡されるように構成されている。在宅スイッチ５は、使用者が家宅内に居る時はオフにされ、外出時や就寝時等には使用者によりオンされる。
【００５２】
同様に、Ｂ室にも、連動先：防犯センサと初期設定された火災警報器１が配置されている。Ｂ室の火災警報器１は、Ａ室の火災警報器１と連動するように接続されておらず、それぞれ独立して警報動作する構成となっている。また、Ｂ室の火災警報器１には、部屋の窓Ｗ３およびＷ４にそれぞれ取り付けられた２個の防犯センサ４からのセンサ出力が在宅スイッチ５を介して外部出力端子に接続されている。
【００５３】
上述の構成の警報システムにおいて、Ａ室の火災時は、Ａ室の火災警報器１が火災警報音を鳴動するが、Ｂ室の火災警報器１は鳴動しない。また、Ａ室の火災警報器１の在宅スイッチ５がオンされている時に、Ａ室の窓Ｗ１およびＷ２のいずれかの開閉や振動等により防犯センサ４が作動した場合、外部出力端子の検出電圧はしきい値以下となり、Ａ室の火災警報器１は、防犯警報音を鳴動するが、Ｂ室の火災警報器１は鳴動しない。
【００５４】
一方、Ｂ室の火災時は、Ｂ室の火災警報器１が火災警報音を鳴動するが、Ａ室の火災警報器１は鳴動しない。また、Ｂ室の火災警報器１の在宅スイッチ５がオンされている時に、Ｂ室の窓Ｗ３およびＷ４のいずれかの開閉や振動等により防犯センサ４が作動した場合、外部出力端子の検出電圧はしきい値以下となり、Ｂの火災警報器１は、防犯警報音を鳴動するが、Ａ室の火災警報器１は鳴動しない。
【００５５】
以上説明したように、本発明の第１の実施形態の警報システムによれば、警報器自体の警報機能に防犯警報機能を付加した警報器の外部出力端子に防犯センサを接続して、警報器自体の警報と防犯センサの作動時の防犯警報とを報知する警報システムを実現することができる。そのため、警報器自体の警報機能を失わずに、警報器を防犯警報器として利用するので、防犯センサのみを窓等に取り付けるだけで良く、低コストで防犯機能を付加した警報システムを構築することができる。
【００５６】
（警報システムの第２の実施形態）次に、上述のように連動先：防犯センサと初期設定された火災警報器１を用いた本発明の警報システムの第２の実施形態について説明する。
【００５７】
図８は、本発明の第２の実施形態に係る警報システムを示す概略構成図である。図８の警報システムは、図７の警報システムと同一の構成に加えて、Ａ室の火災警報器１とＢ室の火災警報器１の外部出力端子同士を連動するように連動線路３で接続した構成となっている。なお、この警報システムは、さらに３個以上の多数の火災警報器１の外部出力端子同士を連動するように接続した構成とすることができる。
【００５８】
上述の構成の警報システムにおいては、Ａ室の火災時は、Ａ室の火災警報器１が火災警報音を鳴動すると共に、連動先のＢ室の火災警報器は、Ａ室の火災警報器１の外部出力端子がしきい値以下となったため、それを検出し、防犯警報音を鳴動する。逆に、Ｂ室の火災時は、Ｂ室の火災警報器１が火災警報音を鳴動すると共に、連動先のＡ室の火災警報器は、Ｂ室の火災警報器１の外部出力端子がしきい値以下となったため、それを検出し、防犯警報音を鳴動する。
【００５９】
また、Ａ室およびＢ室の火災警報器１の在宅スイッチ５がオンされている時に、Ａ室の窓Ｗ１およびＷ２のいずれかの開閉や振動等により防犯センサ４が作動した場合、外部出力端子の検出電圧はしきい値以下となり、Ａ室の火災警報器１は、防犯警報音が鳴動すると共に、連動先のＢ室の火災警報器は、Ａ室の火災警報器１の外部出力端子がしきい値以下となったため、それを検出し、防犯警報音を鳴動する。
【００６０】
また、Ｂ室の窓Ｗ３およびＷ４のいずれかの開閉や振動等により防犯センサ４が作動した場合、外部出力端子の検出電圧はしきい値以下となり、Ｂ室の火災警報器１は、防犯警報音が鳴動すると共に、連動先のＡ室の火災警報器は、Ｂ室の火災警報器１の外部出力端子がしきい値以下となったため、それを検出し、防犯警報音を鳴動する。
【００６１】
このように、複数の火災警報器１が連動するように接続されているため、ある室（ここではＡ室）の火災発生時には、当該室（Ａ室）の火災警報器１が火災警報音を鳴動すると共に、他の室（ここではＢ室）の火災警報器１が防犯警報音を鳴動するので、Ａ室に居る人に自室において火災が発生していることを報知することができ、また他の室（ここではＢ室）に居る人に、Ａ室で火災または防犯上の異常が発生していることを報知することができる。また、ある室（ここはＡ室）の防犯事象の発生時には、当該室（Ａ室）の火災警報器１が防犯警報音を鳴動すると共に、他の室（ここではＢ室）の火災警報器１が防犯警報音を鳴動するので、Ａ室に居る人に自室において防犯事象が発生していることを報知することができ、また他の室（ここではＢ室）に居る人に、Ａ室で火災または防犯上の異常が発生していることを報知することができる。
【００６２】
以上説明したように、本発明の第２の実施形態の警報システムによれば、警報器自体の警報機能に防犯警報機能を付加した複数の警報器の外部出力端子同士を連動接続し、各外部出力端子に防犯センサを接続して、警報器自体の警報と防犯センサの作動時の防犯警報とを報知する警報システムを実現することができる。そのため、警報器自体の警報機能を失わずに、警報器を防犯警報器として利用するので、防犯センサのみを窓等に取り付けるだけで良く、低コストで防犯機能を付加した警報システムを構築することができる。
【００６３】
以上の通り、本発明の実施形態について説明したが、本発明はこれに限らず、種々の変形、応用が可能である。
【００６４】
たとえば、上述の実施形態において、在宅スイッチ５は、火災警報器１に予め備え付けられている点検用スイッチ（引き紐スイッチや押ボタンスイッチ）を兼用しても良い。
【００６５】
また、警報器の実施形態において、外部出力端子１６ａおよび１６ｂ間に現れる検出電圧は、図９に示すように、監視時（火災がない時）に所定振幅および所定周波数のパルス電圧を出力し、火災発生時および防犯センサ４の作動時に０Ｖとなる形態としても良い。
【００６６】
図１０は、図９に示す検出電圧を生成することができる火災警報器１の具体的構成例を示す回路図である。図１０においては、図２に示す構成に加えて、電圧供給部１２の＋Ｖｃ電源と抵抗１２ａの間にｐｎｐ型のトランジスタ１２ｂを接続すると共に、トランジスタ１２ｂのベースにＣＰＵ３０の出力ポートＰ５を接続している。
【００６７】
電圧供給部１２は、＋Ｖｃ電源からの直流電圧を予め設定されたしきい値以上の適切な監視電圧ＥとしてＣＰＵ３０の入力ポートＰ２から連動検出部１３に供給する。ＣＰＵ３０は、監視時には出力ポートＰ５からローレベルの信号を出力してトランジスタ１２ｂをオンにすると共に、出力ポートＰ３から上記所定周波数でレベルがローレベルとハイレベルで交互する信号を出力してトランジスタ１５ｂをオン、オフ制御する。それにより、監視時には、外部出力端子１６ａおよび１６ｂ間に、図９に示す所定振幅および所定周波数のパルス電圧が現れる。
【００６８】
また、火災センサ１４が火災を検出した時は、出力ポートＰ５からハイレベルの信号を出力し、トランジスタ１２ｂをオフになるように制御する。それにより、外部出力端子１６ａおよび１６ｂ間に、しきい値以下、すなわち０Ｖの検出電圧が現れる。
【００６９】
この場合、図４のフローチャートのステップＳ３において、検出電圧判別部１７で、外部出力端子１６ａおよび１６ｂ間に所定振幅および所定周波数のパルス電圧が現れていると判別された場合、ステップＳ４に進み、外部出力端子１６ａおよび１６ｂ間に０Ｖが現れている場合は、ステップＳ６に進むように変更する。
【００７０】
また、上述の実施形態において、警報器として火災警報器を使用した場合について説明したが、本発明はこれに限らず、ガス警報器等の他の警報器でも応用可能である。
【図面の簡単な説明】
【００７１】
【図１】本発明の第１の実施形態に係る警報器の構成を示すブロック図である。（警報器の第１の実施形態）
【図２】図１の警報器の具体的構成例を示す回路図である。（警報器の第１の実施形態）
【図３】外部出力端子に現れる検出電圧を示す図である。（警報器の第１の実施形態）
【図４】警報器の電源投入時の動作を説明するフローチャートである。（警報器の第１の実施形態）
【図５】警報器の通常監視時の動作を説明するフローチャートである。（警報器の第１の実施形態）
【図６】警報器の通常監視時の動作を説明するフローチャートである。（警報器の第１の実施形態）
【図７】本発明の第１の実施形態に係る警報システムを示す概略構成図である。（警報システムの第１の実施形態）
【図８】本発明の第２の実施形態に係る警報システムを示す概略構成図である。（警報システムの第２の実施形態）
【図９】外部出力端子に現れる検出電圧の他の例を示す図である。
【図１０】図９に示す検出電圧を生成することができる警報器の具体的構成例を示す回路図である。
【図１１】従来の連動タイプの警報器を用いた警報システムを示す概略構成図である。
【図１２】図１１の警報システムにおける警報器の具体的構成例を示す回路図である。
【符号の説明】
【００７２】
１  火災警報器（警報器）
３  連動線路
４  防犯センサ
５  在宅スイッチ
１３  連動検出部（検出手段）
１４  火災センサ（警報事象検出用センサ）
１６ａ，１６ｂ  外部出力端子
１７  検出電圧判別部（判別手段）
１８  自動設定部（自動設定手段）
１９  火災警報音生成部（第１の警報音生成手段）
２０  火災連動警報音生成部（第２の警報音生成手段）
２１  防犯警報音生成部（第３の警報音生成手段）
２２  警報音選択部（警報音選択手段）
２５  音声出力部（音声出力手段）
【図１】
0004787078.tif 000002
【図２】
0004787078.tif 000003
【図３】
0004787078.tif 000004
【図４】
0004787078.tif 000005
【図５】
0004787078.tif 000006
【図６】
0004787078.tif 000007
【図７】
0004787078.tif 000008
【図８】
0004787078.tif 000009
【図９】
0004787078.tif 000010
【図１０】
0004787078.tif 000011
【図１１】
0004787078.tif 000012
【図１２】
0004787078.tif 000013